【事件の表示】
　特許第５９９２７９２号発明「トレッド用ゴム組成物及び空気入りタイヤ」の特許異議申立事件について、次のとおり決定する。
【結　論】
　特許第５９９２７９２号の特許請求の範囲を訂正請求書に添付された訂正特許請求の範囲のとおり、訂正後の請求項〔１〕、〔２〕、〔３〕、〔４〕、〔５〕、〔６〕、〔７〕及び〔８ないし１１〕について訂正することを認める。
　特許第５９９２７９２号の請求項１ないし１１に係る特許を維持する。
【理　由】
第１　手続の経緯
　特許第５９９２７９２号の請求項１ないし１１に係る特許についての出願は、平成２４年１０月１０日の出願であって、平成２８年８月２６日にその特許権の設定登録（設定登録時の請求項数４）がされ、その後、その特許に対し、平成２９年３月１３日付け（受理日：同年３月１４日）で特許異議申立人　渡辺　広基（以下、「特許異議申立人」という。）により特許異議の申立て（対象請求項：請求項１ないし４）がされ、当審において同年５月２日付けで取消理由が通知され、同年７月１０日付け（受理日：同年７月１２日）で特許権者　住友ゴム工業株式会社（以下、「特許権者」という。）から意見書が提出されるとともに訂正の請求（以下、「本件訂正の請求」という。）がされ、同年７月１８日付けで訂正請求があった旨の通知（特許法第１２０条の５第５項）がされ、同年８月２１日付け（受理日：同年８月２２日）で特許異議申立人から意見書が提出され、同年９月１５日付けで訂正拒絶理由が通知され、同年１０月４日付け（受理日：同年１０月６日）で特許権者から意見書並びに訂正請求書及び訂正特許請求の範囲についての手続補正書が提出され、同年１１月２０日付けで取消理由（決定の予告）がされ、平成３０年１月１９日付け（受理日：同年１月２２日）で特許権者から意見書が提出されたものである。
第２　訂正の適否について
１　訂正の内容
　本件訂正の請求（なお、平成２９年７月１０日付け（受理日：同年７月１２日）で提出された訂正請求書及び訂正特許請求の範囲は、同年１０月４日付け（受理日：同年１０月６日）で提出された手続補正書により補正されている。）による訂正の内容は、次のとおりである。なお、下線は訂正箇所を示すものである。
（１）訂正事項１（請求項１に係る訂正）
　特許請求の範囲の請求項１に
「ゴム成分と、シリカと、シランカップリング剤と、硫黄加硫剤と、スルフェンアミド系又はチアゾール系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たすトレッド用ゴム組成物。
０．１≦Ａ≦３．０　　　　　　　（１）
１．０≦（Ｂ＋Ｃ）／Ａ≦６０　　（２）
１．０≦Ｃ／Ｂ　　　　　　　　　（３）」
と記載されているのを、
「ゴム成分と、シリカと、シランカップリング剤と、硫黄加硫剤と、スルフェンアミド
系の
、酸化亜鉛と
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たすトレッド用ゴム組成物。
０．１≦Ａ≦３．０　　　　　　　（１）
１．０≦（Ｂ＋Ｃ）／Ａ≦６０　　（２）
１．０≦Ｃ／Ｂ　　　　　　　　　（３）」
に訂正する。
（２）訂正事項２（請求項２に係る訂正）
　特許請求の範囲の請求項２に
「前記ゴム組成分１００質量部に対して、グアニジン系加硫促進剤０．５〜４．０質量部含む請求項１記載のトレッド用ゴム組成物。」
と記載されているのを、
「
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たし、
０．１≦Ａ≦３．０　　　　　　　（１）
２．０≦（Ｂ＋Ｃ）／Ａ≦６０　　（２）
１．０≦Ｃ／Ｂ　　　　　　　　　（３）
前記ゴム組成分１００質量部に対して、グアニジン系加硫促進剤０．５〜４．０質量部含
むト
に訂正する。
（３）訂正事項３（請求項３に係る訂正）
　特許請求の範囲の請求項３に
「前記ゴム成分１００質量部に対して、前記シリカを１０〜１５０質量部含み、
前記シリカ１００質量部に対して、前記シランカップリング剤を１〜２０質量部含む請求項１又は２記載のトレッド用ゴム組成物。」
とあるうち、請求項１を引用するものについて、
「
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たし、
０．１≦Ａ≦３．０　　　　　　　（１）
１．０≦（Ｂ＋Ｃ）／Ａ≦６０　　（２）
１．０≦Ｃ／Ｂ　　　　　　　　　（３）
前記ゴム成分１００質量部に対して、前記シリカを１０〜１５０質量部含み、
前記シリカ１００質量部に対して、前記シランカップリング剤を１〜２０質量部含
むト
（但し、（Ｂ＋Ｃ）／Ａ＝１．２７かつＣ／Ｂ＝１．７１であるトレッド用ゴム組成物を除く）
に訂正する。
（４）訂正事項４（請求項４に係る訂正）
　特許請求の範囲の請求項４に
「請求項１〜３のいずれかに記載のゴム組成物を用いて作製したトレッドを有する空気入りタイヤ。」
とあるうち、請求項１を引用するものについて、
「
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たすトレッド用
０．１≦Ａ≦３．０　　　　　　　（１）
１．０≦（Ｂ＋Ｃ）／Ａ≦６０　　（２）
２．０≦Ｃ／Ｂ　　　　　　　　　（３）
に訂正する。
（５）訂正事項５（請求項５に係る訂正）
　特許請求の範囲の請求項３に
「前記ゴム成分１００質量部に対して、前記シリカを１０〜１５０質量部含み、
前記シリカ１００質量部に対して、前記シランカップリング剤を１〜２０質量部含む請求項１又は２記載のトレッド用ゴム組成物。」
とあるうち、請求項１を引用した請求項２を引用するものについて、
「
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（４）を満たし、
０．１≦Ａ≦３．０　　　　　　　（１）
１．０≦（Ｂ＋Ｃ）／Ａ≦６０　　（２）
１．０≦Ｃ／Ｂ　　　　　　　　　（３）
１．５≦Ｃ≦５．０　　　　　　　（４）
前記ゴム組成分１００質量部に対して、グアニジン系加硫促進剤０．５〜４．０質量部含み、
前記ゴム成分１００質量部に対して、前記シリカを１０〜１５０質量部含み、
前記シリカ１００質量部に対して、前記シランカップリング剤を１〜２０質量部含むトレッド用ゴム組成物。
に訂正し、新たに請求項５とする。
（６）訂正事項６（請求項６に係る訂正）
　特許請求の範囲の請求項４に
「請求項１〜３のいずれかに記載のゴム組成物を用いて作製したトレッドを有する空気入りタイヤ。」
とあるうち、請求項１を引用した請求項２を引用するものについて、
「
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が２０質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たし、
０．１≦Ａ≦３．０　　　　　　　（１）
１．０≦（Ｂ＋Ｃ）／Ａ≦６０　　（２）
１．０≦Ｃ／Ｂ　　　　　　　　　（３）
前記ゴム組成分１００質量部に対して、グアニジン系加硫促進剤０．５〜４．０質量部含むトレッド用ゴム組成物を用いて作成したトレッドを有する空気入りタイヤ。
に訂正し、新たに請求項６とする。
（７）訂正事項７（請求項７に係る訂正）
　特許請求の範囲の請求項４に
「請求項１〜３のいずれかに記載のゴム組成物を用いて作製したトレッドを有する空気入りタイヤ。」
とあるうち、請求項１を引用した請求項２を引用した請求項３を引用するものについて、
「
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たし、
０．１≦Ａ≦３．０　　　　　　　（１）
１．０≦（Ｂ＋Ｃ）／Ａ≦６０　　（２）
１．０≦Ｃ／Ｂ　　　　　　　　　（３）
前記ゴム組成分１００質量部に対して、グアニジン系加硫促進剤０．５〜４．０質量部含み、
前記ゴム成分１００質量部に対して、前記シリカを１０〜１５０質量部含み、
前記シリカ１００質量部に対して、前記シランカップリング剤を１〜２０質量部含み、
前記ゴム成分１００質量％中、変性スチレンブタジエンゴムの含有量が３０〜９０質量％、ブタジエンゴムの含有量が５〜７０質量％であるトレッド用ゴム組成物を用いて作成したトレッドを有する空気入りタイヤ。
に訂正し、新たに請求項７とする。
（８）訂正事項８（請求項８に係る訂正）
　特許請求の範囲の請求項１に
「ゴム成分と、シリカと、シランカップリング剤と、硫黄加硫剤と、スルフェンアミド系又はチアゾール系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たすトレッド用ゴム組成物。
０．１≦Ａ≦３．０　　　　　　　（１）
１．０≦（Ｂ＋Ｃ）／Ａ≦６０　　（２）
１．０≦Ｃ／Ｂ　　　　　　　　　（３）」
と記載されているのを、
「
ゴム成分と、シリカと、シランカップリング剤と、硫黄加硫剤と、チアゾール系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たすトレッド用ゴム組成物。
０．１≦Ａ≦３．０　　　　　　　（１）
１．０≦（Ｂ＋Ｃ）／Ａ≦６０　　（２）
１．０≦Ｃ／Ｂ　　　　　　　　　（３）
に訂正し、新たに請求項８とする。
（９）訂正事項９（請求項９に係る訂正）
　特許請求の範囲の請求項２に
「前記ゴム組成分１００質量部に対して、グアニジン系加硫促進剤０．５〜４．０質量部含む請求項１記載のトレッド用ゴム組成物。」
と記載されているのを、
「
前記ゴム組成分１００質量部に対して、グアニジン系加硫促進剤０．５〜４．０質量部含む請求項８記載のトレッド用ゴム組成物。
に訂正し、新たに請求項９とする。
（１０）訂正事項１０（請求項１０に係る訂正）
　特許請求の範囲の請求項３に
「前記ゴム成分１００質量部に対して、前記シリカを１０〜１５０質量部含み、
前記シリカ１００質量部に対して、前記シランカップリング剤を１〜２０質量部含む請求項１又は２記載のトレッド用ゴム組成物。」
と記載されているのを、
「
前記ゴム成分１００質量部に対して、前記シリカを１０〜１５０質量部含み、
前記シリカ１００質量部に対して、前記シランカップリング剤を１〜２０質量部含む請求項８又は９記載のトレッド用ゴム組成物。
に訂正し、新たに請求項１０とする。
（１１）訂正事項１１（請求項１１に係る訂正）
　特許請求の範囲の請求項４に
「請求項１〜３のいずれかに記載のゴム組成物を用いて作製したトレッドを有する空気入りタイヤ。」
と記載されているのを、
「
請求項８〜１０のいずれかに記載のゴム組成物を用いて作製したトレッドを有する空気入りタイヤ。
に訂正し、新たに請求項１１とする。
２　訂正の目的の適否、一群の請求項、願書に添付した明細書、特許請求の範囲又は図面に記載した事項の範囲内か否か及び特許請求の範囲の拡張・変更の存否
（１）訂正事項１について
　訂正事項１は、訂正前の請求項１において、「スルフェンアミド系またはチアゾール系」と選択的に記載されていた「加硫促進剤１」を「スルフェンアミド系」に限定するとともに、必須成分として「酸化亜鉛」を追加するものであるから、特許請求の範囲の減縮を目的とするものである。
　また、訂正事項１は、訂正前の請求項１並びに願書に添付した明細書の【００３６】、【００４７】、【００５３】及び【００６０】の【表１】の記載に基づくものであるから、願書に添付した明細書、特許請求の範囲又は図面に記載した事項の範囲内のものである。
　さらに、訂正事項１は、実質上特許請求の範囲を拡張し、又は変更するものではない。
（２）訂正事項２について
　訂正事項２は、訂正前の請求項２の記載が訂正前の請求項１の記載を引用するものであったものを、請求項間の引用関係を解消し、独立形式請求項へ改めるとともに、訂正事項１と同様に、「加硫促進剤１」を「スルフェンアミド系」に限定し、さらに、式（２）で規定する範囲を「２．０≦（Ｂ＋Ｃ）／Ａ≦６０」に減縮するものであるから、他の請求項の記載を引用する請求項の記載を当該他の請求項の記載を引用しないものとすること及び特許請求の範囲の減縮を目的とするものである。
　また、訂正事項２は、願書に添付した明細書の【００３６】及び【００４３】の記載に基づくものであるから、願書に添付した明細書、特許請求の範囲又は図面に記載した事項の範囲内のものである。
　さらに、訂正事項２は、実質上特許請求の範囲を拡張し、又は変更するものではない。
（３）訂正事項３について
　訂正事項３は、訂正前の請求項３の記載が訂正前の請求項１又は２の記載を引用するものであったものを、請求項２を引用しないものとした上で、請求項１を引用するものについて請求項間の引用関係を解消し、独立形式請求項へ改めるとともに、訂正事項１と同様に、「加硫促進剤１」を「スルフェンアミド系」に限定し、さらに、「（Ｂ＋Ｃ）／Ａ＝１．２７かつＣ／Ｂ＝１．７１であるトレッド用ゴム組成物」を除くものであるから、他の請求項の記載を引用する請求項の記載を当該他の請求項の記載を引用しないものとすること及び特許請求の範囲の減縮を目的とするものである。
　また、訂正事項３は、願書に添付した明細書の【００３６】の記載に基づくものであり、また、先行技術との重なりのみを除外するものであり、願書に添付した明細書及び特許請求の範囲（以下、「当初明細書等」という。）に記載した事項との関係において新たな技術的事項を導入するものではないから、願書に添付した明細書、特許請求の範囲又は図面に記載した事項の範囲内のものである。
　さらに、訂正事項３は、実質上特許請求の範囲を拡張し、又は変更するものではない。
 
（４）訂正事項４について
　訂正事項４は、訂正前の請求項４の記載が訂正前の請求項１〜３のいずれかの記載を引用するものであったものを、請求項２及び３を引用しないものとした上で、請求項１を引用するものについて請求項間の引用関係を解消し、独立形式請求項へ改めるとともに、訂正事項１と同様に、「加硫促進剤１」を「スルフェンアミド系」に限定し、さらに、式（３）で規定する範囲を「２．０≦Ｃ／Ｂ」に減縮するものであるから、他の請求項の記載を引用する請求項の記載を当該他の請求項の記載を引用しないものとすること及び特許請求の範囲の減縮を目的とするものである。
　また、訂正事項４は、願書に添付した明細書の【００３６】及び【００４４】の記載に基づくものであるから、願書に添付した明細書、特許請求の範囲又は図面に記載した事項の範囲内のものである。
　さらに、訂正事項４は、実質上特許請求の範囲を拡張し、又は変更するものではない。
　
（５）訂正事項５について
　訂正事項５は、訂正前の請求項３の記載が訂正前の請求項１又は２の記載を引用するものであったものを、請求項１を引用しないものとした上で、請求項１を引用した請求項２を引用するものについて請求項間の引用関係を解消し、独立形式請求項へ改めるとともに、訂正事項１と同様に、「加硫促進剤１」を「スルフェンアミド系」に限定し、さらに、ゴム組成物が満たす条件として、式（４）（１．５≦Ｃ≦５．０）を追加するものであるから、他の請求項の記載を引用する請求項の記載を当該他の請求項の記載を引用しないものとすること及び特許請求の範囲の減縮を目的とするものである。
　また、訂正事項５は、願書に添付した明細書の【００３６】及び【００４０】の記載に基づくものであるから、願書に添付した明細書、特許請求の範囲又は図面に記載した事項の範囲内のものである。
　さらに、訂正事項５は、実質上特許請求の範囲を拡張し、又は変更するものではない。
（６）訂正事項６について
　訂正事項６は、訂正前の請求項４の記載が訂正前の請求項１〜３のいずれかの記載を引用するものであったものを、請求項１及び３を引用しないものとした上で、請求項１を引用した請求項２を引用するものについて請求項間の引用関係を解消し、独立形式請求項へ改めるとともに、訂正事項１と同様に、「加硫促進剤１」を「スルフェンアミド系」に限定し、さらに、シランカップリング剤の硫黄含有率を「２０質量％以上」に減縮するものであるから、他の請求項の記載を引用する請求項の記載を当該他の請求項の記載を引用しないものとすること及び特許請求の範囲の減縮を目的とするものである。
　また、訂正事項６は、願書に添付した明細書の【００３６】及び【００２５】の記載に基づくものであるから、願書に添付した明細書、特許請求の範囲又は図面に記載した事項の範囲内のものである。
　さらに、訂正事項６は、実質上特許請求の範囲を拡張し、又は変更するものではない。
（７）訂正事項７について
　訂正事項７は、訂正前の請求項４の記載が訂正前の請求項１〜３のいずれかの記載を引用するものであったものを、請求項１及び２を引用しないものとした上で、請求項１を引用した請求項２を引用した請求項３を引用するものについて請求項間の引用関係を解消し、独立形式請求項へ改めるとともに、訂正事項１と同様に、「加硫促進剤１」を「スルフェンアミド系」に限定し、さらに、「前記ゴム成分１００質量％中、変性スチレンブタジエンゴムの含有量が３０〜９０質量％、ブタジエンゴムの含有量が５〜７０質量％である」との記載を追加して「ゴム成分」を限定するものであるから、他の請求項の記載を引用する請求項の記載を当該他の請求項の記載を引用しないものとすること及び特許請求の範囲の減縮を目的とするものである。
　また、訂正事項７は、願書に添付した明細書の【００３６】、【００１９】及び【００２０】の記載に基づくものであるから、願書に添付した明細書、特許請求の範囲又は図面に記載した事項の範囲内のものである。
　さらに、訂正事項７は、実質上特許請求の範囲を拡張し、又は変更するものではない。
（８）訂正事項８について
　訂正事項８は、訂正前の請求項１において、「スルフェンアミド系またはチアゾール系」と選択的に記載されていた「加硫促進剤１」を「チアゾール系」に限定した上で、訂正後の請求項１とは別の独立形式請求項に改めるものであるから、特許請求の範囲の減縮を目的とするものである。
　また、訂正事項８は、訂正前の請求項１及び願書に添付した明細書の【００３７】の記載に基づくものであるから、願書に添付した明細書、特許請求の範囲又は図面に記載した事項の範囲内のものである。
　さらに、訂正事項８は、実質上特許請求の範囲を拡張し、又は変更するものではない。
（９）訂正事項９について
　訂正事項９は、訂正前の請求項１に従属していた訂正前の請求項２を、「スルフェンアミド系またはチアゾール系」と選択的に記載されていた「加硫促進剤１」を「チアゾール系」に限定した訂正後の請求項８に従属するものに改めるものであるから、特許請求の範囲の減縮を目的とするものである。
　また、訂正事項９は、訂正前の請求項１及び２の記載に基づくものであるから、願書に添付した明細書、特許請求の範囲又は図面に記載した事項の範囲内のものである。
　さらに、訂正事項９は、実質上特許請求の範囲を拡張し、又は変更するものではない。
（１０）訂正事項１０について
　訂正事項１０は、訂正前の請求項１、２に従属していた訂正前の請求項３を、「スルフェンアミド系またはチアゾール系」と選択的に記載されていた「加硫促進剤１」を「チアゾール系」に限定した訂正後の請求項８、９に従属するものに改めるものであるから、特許請求の範囲の減縮を目的とするものである。
　また、訂正事項１０は、訂正前の請求項１ないし３の記載に基づくものであるから、願書に添付した明細書、特許請求の範囲又は図面に記載した事項の範囲内のものである。
　さらに、訂正事項１０は、実質上特許請求の範囲を拡張し、又は変更するものではない。
（１１）訂正事項１１について
　訂正事項１１は、訂正前の請求項１〜３のいずれかに従属していた訂正前の請求項４を、「スルフェンアミド系またはチアゾール系」と選択的に記載されていた「加硫促進剤１」を「チアゾール系」に限定した訂正後の請求項８〜１０のいずれかに従属するものに改めるものであるから、特許請求の範囲の減縮を目的とするものである。
　また、訂正事項１１は、訂正前の請求項１ないし４の記載に基づくものであるから、願書に添付した明細書、特許請求の範囲又は図面に記載した事項の範囲内のものである。
　さらに、訂正事項１１は、実質上特許請求の範囲を拡張し、又は変更するものではない。
（１２）一群の請求項
　本件訂正の請求による訂正は、訂正前の請求項１ないし４は、訂正前の請求項２ないし４が訂正前の請求項１を引用するものであるので、訂正前の請求項１ないし４は一群の請求項である。
　したがって、本件訂正の請求は、一群の請求項ごとに対してされたものである。
３　むすび
　以上のとおり、本件訂正の請求は、特許法第１２０条の５第２項ただし書第１及び４号に掲げる事項を目的とするものであり、かつ、同条第４項並びに同条第９項において準用する同法第１２６条第５及び６項の規定に適合する。
　また、特許異議の申立ては、訂正前の全ての請求項に対してされているので、訂正を認める要件として、特許法第１２０条の５第９項において読み替えて準用する同法第１２６条第７項に規定する独立特許要件は課されない。
　したがって、本件訂正の請求は適法なものである。
　そして、特許権者から、訂正後の請求項２ないし１１について訂正が認められるときは請求項１とは別の訂正単位として扱われることの求めがあったことから、訂正後の請求項〔１〕、〔２〕、〔３〕、〔４〕、〔５〕、〔６〕、〔７〕及び〔８ないし１１〕について訂正することを認める。
　なお、該求めは、訂正後の請求項２、３、４、５、６、７及び８ないし１１の間では、別の訂正単位として扱われることの求めかどうかは明確ではないが、訂正後の請求項２、３、４、５、６、７及び８は、独立形式の請求項であることから、上記のように訂正することの求めと判断した。
第３　特許異議の申立てについて
１　本件特許発明
　上記第２のとおり、訂正後の請求項〔１〕、〔２〕、〔３〕、〔４〕、〔５〕、〔６〕、〔７〕及び〔８ないし１１〕について訂正することを認めるので、本件特許の請求項１ないし１１に係る発明（以下、順に「本件特許発明１」のようにいい、総称して「本件特許発明」という。）は、平成２９年１０月４日付け（受理日：同年１０月６日）で提出された手続補正書により補正された訂正請求書に添付された訂正特許請求の範囲の請求項１ないし１１に記載された次の事項により特定されるとおりのものである。
　「【請求項１】
ゴム成分と、シリカと、シランカップリング剤と、硫黄加硫剤と、スルフェンアミド系の加硫促進剤１と、チウラム系の加硫促進剤２と、酸化亜鉛とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たすトレッド用ゴム組成物。
０．１≦Ａ≦３．０　　　　　　　（１）
１．０≦（Ｂ＋Ｃ）／Ａ≦６０　　（２）
１．０≦Ｃ／Ｂ　　　　　　　　　（３）
【請求項２】
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たし、
０．１≦Ａ≦３．０　　　　　　　（１）
２．０≦（Ｂ＋Ｃ）／Ａ≦６０　　（２）
１．０≦Ｃ／Ｂ　　　　　　　　　（３）
前記ゴム組成分１００質量部に対して、グアニジン系加硫促進剤０．５〜４．０質量部含むトレッド用ゴム組成物。
【請求項３】
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たし、
０．１≦Ａ≦３．０　　　　　　　（１）
１．０≦（Ｂ＋Ｃ）／Ａ≦６０　　（２）
１．０≦Ｃ／Ｂ　　　　　　　　　（３）
前記ゴム成分１００質量部に対して、前記シリカを１０〜１５０質量部含み、
前記シリカ１００質量部に対して、前記シランカップリング剤を１〜２０質量部含むトレッド用ゴム組成物（但し、（Ｂ＋Ｃ）／Ａ＝１．２７かつＣ／Ｂ＝１．７１であるトレッド用ゴム組成物を除く）。
【請求項４】
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たすトレッド用ゴム組成物を用いて作成したトレッドを有する空気入りタイヤ。
０．１≦Ａ≦３．０　　　　　　　（１）
１．０≦（Ｂ＋Ｃ）／Ａ≦６０　　（２）
２．０≦Ｃ／Ｂ　　　　　　　　　（３）
【請求項５】
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（４）を満たし、
０．１≦Ａ≦３．０　　　　　　　（１）
１．０≦（Ｂ＋Ｃ）／Ａ≦６０　　（２）
１．０≦Ｃ／Ｂ　　　　　　　　　（３）
１．５≦Ｃ≦５．０　　　　　　　（４）
前記ゴム組成分１００質量部に対して、グアニジン系加硫促進剤０．５〜４．０質量部含み、
前記ゴム成分１００質量部に対して、前記シリカを１０〜１５０質量部含み、
前記シリカ１００質量部に対して、前記シランカップリング剤を１〜２０質量部含むトレッド用ゴム組成物。
【請求項６】
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が２０質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たし、
０．１≦Ａ≦３．０　　　　　　　（１）
１．０≦（Ｂ＋Ｃ）／Ａ≦６０　　（２）
１．０≦Ｃ／Ｂ　　　　　　　　　（３）
前記ゴム組成分１００質量部に対して、グアニジン系加硫促進剤０．５〜４．０質量部含むトレッド用ゴム組成物を用いて作成したトレッドを有する空気入りタイヤ。
【請求項７】
  ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たし、
０．１≦Ａ≦３．０　　　　　　　（１）
１．０≦（Ｂ＋Ｃ）／Ａ≦６０　　（２）
１．０≦Ｃ／Ｂ　　　　　　　　　（３）
前記ゴム組成分１００質量部に対して、グアニジン系加硫促進剤０．５〜４．０質量部含み、
前記ゴム成分１００質量部に対して、前記シリカを１０〜１５０質量部含み、
前記シリカ１００質量部に対して、前記シランカップリング剤を１〜２０質量部含み、
前記ゴム成分１００質量％中、変性スチレンブタジエンゴムの含有量が３０〜９０質量％、ブタジエンゴムの含有量が５〜７０質量％であるトレッド用ゴム組成物を用いて作成したトレッドを有する空気入りタイヤ。
【請求項８】
ゴム成分と、シリカと、シランカップリング剤と、硫黄加硫剤と、チアゾール系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たすトレッド用ゴム組成物。
０．１≦Ａ≦３．０　　　　　　　（１）
１．０≦（Ｂ＋Ｃ）／Ａ≦６０　　（２）
１．０≦Ｃ／Ｂ　　　　　　　　　（３）
【請求項９】
前記ゴム組成分１００質量部に対して、グアニジン系加硫促進剤０．５〜４．０質量部含む請求項８記載のトレッド用ゴム組成物。
【請求項１０】
前記ゴム成分１００質量部に対して、前記シリカを１０〜１５０質量部含み、
前記シリカ１００質量部に対して、前記シランカップリング剤を１〜２０質量部含む請求項８又は９記載のトレッド用ゴム組成物。
【請求項１１】
請求項８〜１０のいずれかに記載のゴム組成物を用いて作製したトレッドを有する空気入りタイヤ。」
２　平成２９年５月２日付けで通知した取消理由の概要
　平成２９年５月２日付けで通知した取消理由の概要は次のとおりである。なお、該取消理由における「本件特許の請求項１ないし４」は、訂正前の全請求項である。
　「１．（明確性）本件特許の請求項１ないし４に係る特許は、特許法第３６条第６項第２号に規定する要件を満たしていない特許出願に対してされたものであるから、同法第１１３条第４号に該当し、取り消すべきものである。
２．（サポート要件）本件特許の請求項１ないし４に係る特許は、特許法第３６条第６項第１号に規定する要件を満たしていない特許出願に対してされたものであるから、同法第１１３条第４号に該当し、取り消すべきものである。
３．（新規性）本件特許の請求項１及び３に係る発明は、本件特許の出願前に日本国内又は外国において、頒布された下記の刊行物に記載された発明又は電気通信回線を通じて公衆に利用可能となつた発明であって、特許法第２９条第１項第３号に該当し、特許を受けることができないものであるから、同法第１１３条第２号に該当し、本件特許の請求項１及び３に係る特許は取り消すべきものである。
４．（進歩性）本件特許の請求項１ないし４に係る発明は、本件特許の出願前に日本国内又は外国において、頒布された下記の刊行物に記載された発明又は電気通信回線を通じて公衆に利用可能となつた発明に基いて、その出願前にその発明の属する技術の分野における通常の知識を有する者が容易に発明をすることができたものであって、特許法第２９条第２項の規定により特許を受けることができないから、同法第１１３条第２号に該当し、本件特許の請求項１ないし４に係る特許は取り消すべきものである。
　　　　　　　　　　　　　　　　　記
第１　手続の経緯
・・・（略）・・・
第２　本件特許発明
・・・（略）・・・
第３　理由１（明確性）について
　本件特許の特許請求の範囲の請求項１の「スルフェンアミド系又はチアゾール系の加硫促進剤１」という記載では、本件特許発明１における「加硫促進剤１」が、「スルフェンアミド系の加硫促進剤１」又は「チアゾール系の加硫促進剤１」を意味するのか、「スルフェンアミド系又はチアゾール系」の「加硫促進剤１」を意味するのか明確でなく、本件特許発明１が明確であるとはいえない。
　また、本件特許発明２ないし４も同様に明確であるとはいえない。
・・・（略）・・・
第４　理由２（サポート要件）について
・・・（略）・・・加硫促進剤１としてスルフェンアミド系の加硫促進剤を使用した場合には、発明の課題を解決できることを当業者は認識できる。
・・・（略）・・・
　したがって、加硫促進剤１としてチアゾール系の加硫促進剤を使用した場合に、発明の課題を解決することができることを当業者は認識できない。
　よって、本件特許発明に関して、本件特許の特許請求の範囲に記載された発明が、本件特許の発明の詳細な説明に記載された発明で、本件特許の発明の詳細な説明の記載により当業者が当該発明の課題を解決できると認識できる範囲のものであるとはいえず、また、その記載や示唆がなくとも当業者が出願時の技術常識に照らし当該発明の課題を解決できると認識できる範囲のものであるともいえないので、本件特許発明に関して、本件特許の特許請求の範囲の記載が、明細書のサポート要件に適合するとはいえない。
・・・（略）・・・
第５　理由３（新規性）及び理由４（進歩性）について
１　本件特許の出願前に日本国内又は外国において、頒布された刊行物又は電気通信回線を通じて公衆に利用可能となった文献等
　甲第１号証．特開２０１０−２４８３１５号公報
　甲第２号証．エボニックデグサ社（Evonik Degussa GmbH）「Ｓｉ７５プロダクトインフォーメーション(Si75 Product Information)」、２０１０年７月
　甲第４号証．エボニックジャパン株式会社「会社案内」、２０１５年１２月
　甲第１０号証．特開２００６−３３５９８４号公報
　（甲第１、２、４及び１０号証は、平成２９年３月１３日付けで特許異議申立人が提出した特許異議申立書（以下、「特許異議申立書」という。）に添付されたものである。
２　甲第１、２、４及び１０号証に記載された事項等
・・・（略）・・・
３　対比・判断
・・・（略）・・・
４　むすび
　以上のとおり、本件特許発明１及び３は、特許法第２９条第１項第３号に該当し特許を受けることができないものであり、または、特許法第２９条第２項の規定により特許を受けることができないものである。
　また、本件特許発明２及び４は、特許法第２９条第２項の規定により特許を受けることができないものである。
・・・（略）・・・」
　
３　平成２９年１１月２０日付けで通知した取消理由（決定の予告）の概要
　平成２９年１１月２０日付けで通知した取消理由（決定の予告）の概要は次のとおりである。なお、該取消理由（決定の予告）における取消理由１ないし４は、平成２９年５月２日付けで通知した取消理由における取消理由１ないし４である。
「第１　手続の経緯
・・・（略）・・・
第２　訂正の適否について
・・・（略）・・・
　したがって、本件訂正の請求は適法なものである。
　そして、特許権者から、訂正後の請求項２ないし１１について訂正が認められるときは請求項１とは別の訂正単位として扱われることの求めがあったことから、訂正後の請求項〔１〕、〔２〕、〔３〕、〔４〕、〔５〕、〔６〕、〔７〕及び〔８ないし１１〕について訂正することを認める。
・・・（略）・・・
第３　特許異議の申立てについて
・・・（略）・・・
第４　結語
　上記第３のとおり、取消理由１ないし４によっては、請求項１ないし７に係る特許を取り消すことはできないし、他に請求項１ないし７に係る特許を取り消すべき理由を発見しない。
　また、取消理由１、３及び４によっては、請求項８ないし１１に係る特許は取り消すことはできないが、取消理由２によって、請求項８ないし１１に係る特許は取り消すべきものである。
　よって、結論のとおり決定する。」
４　取消理由についての判断
　平成２９年５月２日付けで通知した取消理由及び同年１１月２０日付けで通知した取消理由（決定の予告）を併せて検討する。
（１）取消理由１（明確性）について
　特許を受けようとする発明が明確であるか否かは、特許請求の範囲の記載だけではなく、願書に添付した明細書及び図面を考慮し、また、当業者の出願時における技術常識を基礎として、特許請求の範囲の記載が、第三者の利益が不当に害されるほどに不明確であるか否かという観点から判断されるべきである。
　そこで、本件特許発明１ないし７及び８ないし１１に関して、特許請求の範囲の記載が、第三者の利益が不当に害されるほどに不明確であるか否かを検討する。
　本件特許発明１ないし７及び８ないし１１は、上記第３　１のとおりであり、本件特許発明１ないし７における「加硫促進剤１」が「スルフェンアミド系の加硫促進剤１」のことであることは明確であるし、また、本件特許発明８ないし１１における「加硫促進剤１」が「チアゾール系の加硫促進剤１」のことであることも明確である。
　したがって、本件特許発明１ないし７及び８ないし１１に関して、特許請求の範囲の記載が、第三者の利益が不当に害されるほどに不明確であるとはいえず、本件特許の請求項１ないし７及び８ないし１１に係る特許は、特許法第３６条第６項第２号に規定する要件を満たしていない特許出願に対してされたものとはいえないから、同法第１１３条第４号に該当せず、取り消すことはできない。
（２）取消理由２（サポート要件）について
ア　サポート要件
　特許請求の範囲の記載が、明細書のサポート要件に適合するか否かは、特許請求の範囲の記載と発明の詳細な説明の記載とを対比し、特許請求の範囲に記載された発明が、発明の詳細な説明に記載された発明で、発明の詳細な説明の記載により当業者が当該発明の課題を解決できると認識できる範囲のものであるか否か、また、その記載や示唆がなくとも当業者が出願時の技術常識に照らし当該発明の課題を解決できると認識できる範囲のものであるか否かを検討して判断すべきものである。
　そこで、本件特許発明１ないし７及び８ないし１１に関して、特許請求の範囲の記載が、明細書のサポート要件に適合するか否かを検討する。
イ　発明の課題
　本件特許明細書の【０００６】等の記載によると、本件特許発明の解決しようとする課題（以下、「発明の課題」という。）は、「耐摩耗性、耐熱劣化性、加工性及び低燃費性をバランスよく改善したトレッド用ゴム組成物、及びそれを用いた空気入りタイヤを提供すること」である。
ウ　本件特許発明１ないし７について
　本件特許発明１ないし７は、「スルフェンアミド系の加硫促進剤１」を含むものである。
　そして、本件特許明細書には、加硫促進剤１としてスルフェンアミド系の加硫促進剤を使用した実施例について、加工性指数、低燃費指数、耐熱劣化指数及び耐摩耗性指数等の評価が記載されており、加硫促進剤１としてスルフェンアミド系の加硫促進剤を使用した場合、すなわち本件特許発明１ないし７が、発明の課題を解決できることを当業者は認識できる。
　よって、本件特許発明１ないし７に関して、本件特許の特許請求の範囲に記載された発明が、本件特許の発明の詳細な説明に記載された発明で、本件特許の発明の詳細な説明の記載により当業者が当該発明の課題を解決できると認識できる範囲のものであるといえるので、本件特許発明１ないし７に関して、本件特許の特許請求の範囲の記載は、明細書のサポート要件に適合する。
エ　本件特許発明８ないし１１について
　本件特許発明８ないし１１は、「チアゾール系の加硫促進剤１」を含むものである。
　そして、本件特許明細書には、加硫促進剤１としてチアゾール系の加硫促進剤を使用した実施例は本件特許明細書に記載されておらず、また、スルフェンアミド系の加硫促進剤とチアゾール系の加硫促進剤を加硫促進剤１と区分けした理由も本件特許明細書に記載されていない。
　また、スルフェンアミド系の加硫促進剤のどのような作用機序により、「耐摩耗性、耐熱劣化性、加工性及び低燃費性をバランスよく改善」することができるのか本件特許明細書に記載されていない。
　しかし、スルフェンアミド系の加硫促進剤が、チアゾール系の加硫促進剤への構造変化を経て、ゴムの加硫を生じさせることは、平成３０年１月１９日付け（受理日：同年１月２２日）で特許権者から提出された意見書に添付された以下の乙第５−１ないし５−３号証に記載されているように、本件特許の出願時において、当業者の技術常識である。
　また、チアゾール系の加硫促進剤であるＭＢＴＳを用いたゴム組成物において、スルフェンアミド系の加硫促進剤を用いたゴム組成物と同様、耐摩耗性、耐熱劣化性、加工性、低燃費性の向上効果が得られることが、平成３０年１月１９日付け（受理日：同年１月２２日）で特許権者から提出された意見書に添付された以下の乙第６号証に示されている。
　してみると、チアゾール系の加硫促進剤は、スルフェンアミド系の加硫促進剤と同様に、「耐摩耗性、耐熱劣化性、加工性及び低燃費性をバランスよく改善」することができると当業者は認識できる。
　したがって、加硫促進剤１としてチアゾール系の加硫促進剤を使用した場合、すなわち本件特許発明８ないし１１が、発明の課題を解決することができることを当業者は認識できる。
　よって、本件特許発明８ないし１１に関して、本件特許の特許請求の範囲に記載された発明が、本件特許の発明の詳細な説明に記載された発明で、本件特許の発明の詳細な説明の記載及び出願時の技術常識に照らし当業者が当該発明の課題を解決できると認識できる範囲のものであるといえるので、本件特許発明８ないし１１に関して、本件特許の特許請求の範囲の記載は、明細書のサポート要件に適合する。
　乙第５−１号証：「Vulcanization  Accelerators（加硫と促進剤）」インターネット＜URL:http://www.nocil.com/Downloadfile/DTechnicalNote-Vulcanization-Dec10.pdf＞
　乙第５−２号証：「SULFUR VULCANIZATION OF NATURAL RUBBER FOR BENZOTHIAZOLE ACCELERATED FORMULATIONS:FROM REACTION MECHANISMS TO A RATIONAL KINETIC MODEL（ベンゾチアゾール促進処方に対する天然ゴムの硫黄架橋：反応機構から理論速度モデルまで）」インターネット＜URL:http://cepac.cheme.cmu.edu/pasi2008/slides/venkat/library/reading/RCT-ReviewPublishedPaper.pdf＞
　乙第５−３号証：「Vulcanization of Rubber（ゴムの加硫）」インターネット＜URL:http://www.ias.ac.in/article/fulltext/reso/002/04/0055-0059＞
　乙第６号証：実験成績証明書
オ　取消理由２（サポート要件）についてのむすび
　以上のとおり、本件特許の請求項１ないし１１に係る特許は、特許法第３６条第６項第１号に規定する要件を満たしていない特許出願に対してされたものとはいえないから、同法第１１３条第４号に該当せず、取り消すことはできない。
（３）取消理由３及び４（新規性及び進歩性）について
ア　甲第１、２、４及び１０号証に記載された事項等
（ア）甲第１号証に記載された事項及び甲１発明
ａ　甲第１号証に記載された事項
　甲第１号証には、次の記載（以下、総称して「甲第１号証に記載された事項」という。）がある。
・「【請求項１】
　少なくとも一種のスチレン・ブタジエン共重合体ゴムを５０〜１００質量％の量で含むゴム成分１００質量部に対し、
　充填剤としてシリカを１０〜１５０質量部、脂肪酸亜鉛塩を０．５〜５．０質量部、並びにスルフェンアミド系加硫促進剤を０．２〜５．０質量部および／またはチウラム系加硫促進剤を０．２〜５．０質量部の量で配合し、さらに
　シランカップリング剤を前記シリカ１００質量部に対して１〜２０質量部の量で配合してなり、かつ
　酸化亜鉛を配合しないことを特徴とするゴム組成物。
・・・（略）・・・
【請求項５】
　請求項１〜４のいずれかに記載のゴム組成物を用いることを特徴とする空気入りタイヤ。
【請求項６】
　前記ゴム組成物をトレッドに用いることを特徴とする請求項５に記載の空気入りタイヤ。」
・「【０００５】
・・・（略）・・・
　そこで、本発明は、耐摩耗性の向上を図るとともに優れた低発熱性と加硫物性とを兼ね備え、ゴム成分として乳化重合ポリマーをも採用し得るシリカ配合系のゴム組成物を提供することを目的としている。」
・「【００１０】
　本発明のゴム組成物によれば、充填剤としてシリカを配合しつつも優れた耐摩耗性および低発熱性を発揮し得るタイヤを得ることができる。また、スコーチ安全性が高いと同時に加硫速度が速く、かつ良好な加工性をも有する。したがって、かかるゴム組成物を用いれば、高性能な空気入りタイヤが得られ、特にトレッド用ゴム組成物として好適である。」
・「【００１５】
　本発明のゴム組成物は、上記ゴム成分１００質量部に対し、充填剤としてシリカを、通常１０〜１５０質量部、好ましくは３０〜１２０質量部、より好ましくは５０〜１００質量部の量で配合する。シリカの配合量が１０質量部未満であると、本発明の効果が充分に発揮されないおそれがあり、１５０質量部を超えると硬度が必要以上に高くなるおそれがある。」
・「【００１８】
　本発明のゴム組成物には、さらにシランカップリング剤が配合されてなる。かかるシランカップリング剤の配合量は、上記シリカ１００質量部に対して、通常１〜２０質量部、好ましくは３〜１５質量部、より好ましくは６〜１２質量部の量である。シランカップリング剤の配合量が１質量部未満であるとカップリング効果が充分に発揮されないおそれがあり、２０質量部を超えるとゲル化を引き起こすおそれがある。」
・「【００１９】
　上記シランカップリング剤としては、具体的には、例えば、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルメチルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−メタクリロキシプロピルトリメトキシシラン、３−メルカプトプロピルトリメトキシシラン、３−アミノプロピルトリメトキシシラン、ビス(３-トリエトキシシリルプロピル)テトラスルフィド、ビス(３-トリメトキシシリルプロピル)テトラスルフィド、ビス(３-メチルジメトキシシリルプロピル)テトラスルフィド、ビス(３-トリエトキシシリルエチル)テトラスルフィド、ビス(３-トリエトキシシリルプロピル)ジスルフィド、ビス(３-トリメトキシシリルプロピル)ジスルフィド、ビス(３-トリエトキシシリルプロピル)トリスルフィド、３−オクタノイルチオ−１−プロピルトリエトキシシラン、３−（２−メチル−１，３−プロパンジアルコキシエトキシシリル）−１−プロピルチオオクタノエート等が挙げられ、市販品を好適に用いることができる。これらシランカップリング剤は一種単独で用いてもよく、二種以上を混合して用いてもよい。なかでも、ビス（３−トリエトキシシリルプロピル）テトラスルフィド、ビス（３−トリエトキシシリルプロピル）ジスルフィド、３−オクタノイルチオ−１−プロピルトリエトキシシラン、３−（２−メチル−１，３−プロパンジアルコキシエトキシシリル）−１−プロピルチオオクタノエートなどが好ましく、市販品としては、デグサ社の「Ｓｉ−６９」（ビス（３−トリエトキシシリルプロピル）テトラスルフィド）や「Ｓｉ−７５」（ビス（３−トリエトキシシリルプロピル）ジスルフィド）、モメンティブ・パフォーマンス・マテリアルズ社のＮＸＴシラン（３−オクタノイルチオ−１−プロピルトリエトキシシラン）、ＮＸＴ−ＬｏｗＶ（３−（２−メチル−１，３−プロパンジアルコキシエトキシシリル）−１−プロピルチオオクタノエート）などを使用することができる。」
・「【００４０】
　本発明のゴム組成物には、上記スルフェンアミド系加硫促進剤、チウラム系加硫促進剤のほか、本発明の目的を損なわない範囲内でその他の加硫促進剤を配合してもよい。かかる加硫促進剤としては、例えば、ジフェニルグアニジン（ＤＰＧ）、ジ−ｏ−トリルグアニジン（ＤＯＴＧ）等のグアニジン系加硫促進剤、エチレンチオウレア（ＥＴＵ）、１，３−ジエチルチオウレア（ＤＥＴＵ）、１，３−ジブチルチオウレア（ＤＢＴＵ）、トリメチルチオウレア（ＴＭＵ）等のチオウレア系加硫促進剤、ジチオカルバメート系加硫促進剤、キサントゲネート系加硫促進剤等が挙げられる。」
・「【００４３】
　本発明のゴム組成物は、上記各成分を、たとえば、バンバリーミキサー、ニーダー等により混練りすることにより製造することができる。また、本発明のゴム組成物を用いて乗用車、トラック、バス、二輪車用等の空気入りタイヤを製造する場合には、たとえば押し出し機やカレンダー等によりトレッドやサイドトレッド等の各部材を作製し、これらの部材を成型ドラム上で張り合わせること等でグリーンタイヤを作製し、このグリーンタイヤをタイヤモールドに収め、内側から圧を加えながら加硫する方法などにより行うことができる。なお、タイヤ内部には、空気のほか、窒素や不活性ガスを充填してもよい。さらに、本発明のゴム組成物は、タイヤのトレッド、ホース、ベルトコンベアなどの肉厚のゴム製品などにも好適に使用でき、特にタイヤのトレッドのベースゴムやベルトゴム等に用いるゴム組成物として最適である。」
・「【００５９】
　[実施例１〜６、比較例１〜４]
　バンバリーミキサーを使用して、各成分を表１〜２に示す配合処方で混練り混合して、未加硫のゴム組成物を調製し、上記の方法にしたがって各項目につき評価した。結果を表１〜２に示す。
【００６０】
・・・（略）・・・
【００６１】
【表２】
【００６２】
　※１：ＳＢＲ＃１７１２（ゴム成分１００部に対してオイル３７．５部含む油展ＳＢＲ）、ＪＳＲ（株）製
　※２：ニップシールＡＱ、東ソーシリカ（株）製
　※３：ＩＳＡＦ、シースト６、東海カーボン（株）製
　※４：関東化学（株）製
　※５：シランカップリング剤Ｓｉ７５、デグッサ社製
　※６：ノクラック６Ｃ、大内新興化学工業（株）製
　※７：酸化亜鉛２種、ハクスイテック(株)製
　※８：ノクセラーＤ、ジフェニルグアニジン、大内新興化学工業（株）製
　※９：ノクセラーＤＭ、ジベンゾチアジルジスルフィド、大内新興化学工業（株）製
　※１０：ノクセラーＮＳ、Ｎ−ｔ−ブチル−２−ベンゾチアジルスルフェンアミド、大内新興化学工業（株）製
　※１１：ノクセラーＴＯＴ−Ｎ、テトラキス−２−エチルヘキシルチウラムジスルフィド、大内新興化学工業（株）製」
ｂ　甲１発明
　甲第１号証に記載された事項、特に【請求項１】、【請求項５】及び【請求項６】並びに実施例２に関する記載を整理すると、甲第１号証には次の発明（以下、「甲１発明」という。）が記載されていると認める。
　「Ａ　乳化重合ＳＢＲ（ゴム成分１００部に対してオイル３７．５部含む油展ＳＢＲ；ＳＢＲ＃１７１２、ＪＳＲ（株）製）　１３７．５質量部（ゴム成分として１００質量部）と、
Ｂ　シリカ（ニップシールＡＱ、東ソーシリカ（株）製）　６０質量部と、
Ｃ　シランカップリング剤（シランカップリング剤Ｓｉ７５、デグッサ社製）　５．０質量部と、
Ｄ　硫黄　１．５質量部と、
Ｅ　加硫促進剤ＴＢＢＳ（Ｎ−ｔ−ブチル−２−ベンゾチアジルスルフェンアミド；ノクセラーＮＳ、大内新興化学工業（株）製）　０．７質量部と、
Ｆ　加硫促進剤ＴＯＴ−Ｎ（テトラキス−２−エチルヘキシルチウラムジスルフィド；ノクセラーＴＯＴ−Ｎ、大内新興化学工業（株）製）　１．２質量部とを含むゴム組成物。」
（イ）甲第２号証に記載された事項
　甲第２号証には、Ｓｉ７５の硫黄含有率が１５．３質量％である旨の記載がある。
（ウ）甲第４号証に記載された事項
　甲第４号証には、エボニックジャパン株式会社の「変遷」が記載され、該記載から、エボニック社、エボニックデグサ社及びデグッサ社は実質的に同一法人であることがわかる。
（エ）甲第１０号証に記載された事項
　甲第１０号証には、次の記載（以下、総称して「甲第１０号証に記載された事項」という。）がある。
・「【請求項１】
ゴム成分１００重量部に対して、
シリカを２０〜９０重量部、
（Ａ）グアニジン系加硫促進剤を０．５〜２重量部、
（Ｂ）チウラム系加硫促進剤を０．１〜０．５重量部、および
（Ｃ）一般式（１）で表されるスルフェンアミド系加硫促進剤を０．５〜２重量部含有するトレッド用ゴム組成物。
・・・（略）・・・」
・「【０００１】
　本発明は、トレッド用ゴム組成物に関する。」
・「【０００８】
　本発明は、加硫工程における加硫速度を最適化させ、さらに、耐熱老化性を向上させたトレッド用ゴム組成物を提供することを目的とする。」
・「【００１２】
　本発明によれば、シリカ、および３種類の特定の加硫促進剤をそれぞれ特定量配合することによって、加硫工程における加硫速度を最適化させ、さらに、耐熱老化性を向上させたトレッド用ゴム組成物を提供することができる。」
・「【００１８】
　本発明のトレッド用ゴム組成物は、シリカと併用してシランカップリング剤を含有することが好ましい。シランカップリング剤としては、具体的にビス（３−トリエトキシシリルプロピル）テトラスルフィドなどがあげられる。なかでも、加硫を遅延させず、架橋を促進できるという理由により、シランカップリング剤としては、ビス（３−トリエトキシシリルプロピル）テトラスルフィドが好ましい。」
・「【００２０】
　本発明において、加硫促進剤は、（Ａ）グアニジン系加硫促進剤、（Ｂ）チウラム系加硫促進剤および（Ｃ）スルフェンアミド系加硫促進剤からなる。
【００２１】
　グアニジン系加硫促進剤（Ａ）としては、例えば、ジフェニルグアニジン、ジオルトトリグアニジン、トリフェニルグアニジン、オルトトリルビグアニド、ジフェニルグアニジンフタレートなどがあげられる。なかでも、加硫速度を速められ、さらに安価であるという効果が得られることから、グアニジン系加硫促進剤（Ａ）としては、ジフェニルグアニジンが好ましい。
【００２２】
　グアニジン系加硫促進剤（Ａ）の含有量は、ゴム成分１００重量部に対して、０．５重量部以上、好ましくは０．７重量部以上、より好ましくは１重量部以上である。グアニジン系加硫促進剤（Ａ）の含有量が０．５重量部未満では、加硫速度を速める効果が不充分である。また、グアニジン系加硫促進剤（Ａ）の含有量は、ゴム成分１００重量部に対して、２重量部以下、好ましくは１．８重量部以下、より好ましくは１．５重量部以下である。グアニジン系加硫促進剤（Ａ）の含有量が２重量部をこえると、ゴム中への溶解限度をこえ、ゴム表面にブルーム（析出）してくる。」
・「【００３４】
　前記加硫促進剤（Ａ）〜（Ｃ）を含有するゴム組成物に対して、シリカを特定量、ならびに好ましくゴム成分およびカーボンブラックを特定量配合することで、さらに、加硫速度を最適化、および耐熱老化性を向上させることができ、タイヤのトレッド用ゴム組成物として最適なものとなる。」
・「【００３８】
　実施例において使用した各種薬品を以下に記載する。
ＮＲ：ＴＳＲ２０
溶液重合ＳＢＲ（Ｓ−ＳＢＲ）：ＪＳＲ（株）製のＳＬ１５５２
カーボンブラック：東海カーボン（株）製のシースト９（Ｎ１１０）
シリカ：日本シリカ工業（株）製のニップシールＡＱ
シランカップリング剤：デグサジャパン（株）のＳｉ６９
老化防止剤：大内新興化学工業（株）製のノクラック６Ｃ
亜鉛華：三井金属鉱業（株）製の亜鉛華１号
アロマオイル：（株）ジャパンエナジー製のプロセスＸ１４０
ステアリン酸：日本油脂（株）製のステアリン酸
硫黄：鶴見化学工業（株）製の粉末硫黄
加硫促進剤ＴＢＢＳ：大内新興化学工業（株）製のノクセラーＮＳ（Ｎ−ｔ−ブチル−２−ベンゾチアゾリルスルフェンアミド）
加硫促進剤ＣＢＳ：大内新興化学工業（株）製のノクセラーＣＺ（Ｎ−シクロヘキシル−２−ベンゾチアゾリルスルフェンアミド）
加硫促進剤ＤＰＧ：大内新興化学工業（株）製のノクセラーＤ（ジフェニルグアニジン）加硫促進剤ＴＢＺＴＤ：フレキシス（株）製のＰｅｒｋａｃｉｔ　ＴＢｚＴＤ（テトラベンジルチウラムジスルフィド）」
イ　対比・判断
（ア）本件特許発明１について
　本件特許発明１と甲１発明を対比すると、両者は、少なくとも次の点で相違する。
＜相違点１＞
　本件特許発明１においては、「酸化亜鉛」を含むものであるのに対し、甲１発明においては、そうではない点。
　そこで、検討する。
　甲第１号証の【請求項１】の「酸化亜鉛を配合しないことを特徴とするゴム組成物。」という記載によると、甲１発明は、酸化亜鉛を配合しないことを前提とする発明であるから、甲１発明において、酸化亜鉛を含むようにすることには、阻害要因があるというべきである。
　したがって、甲１発明において、相違点１に係る本件特許発明１の発明特定事項とすることは、甲第２、４及び１０号証に記載された事項を考慮しても、当業者が容易に想到しえたこととはいえない。
　よって、本件特許発明１は、甲１発明、すなわち甲第１号証に記載された発明とはいえないし、甲第１号証に記載された発明並びに甲第２、４及び１０号証に記載された事項に基づいて当業者が容易に発明をすることができたものともいえない。
（イ）本件特許発明２について
　本件特許発明２と甲１発明を対比すると、両者は、少なくとも次の点で相違する。
＜相違点２＞
　本件特許発明２においては、「前記ゴム成分１００質量部に対する前記硫黄加硫剤の含有量（Ａ）、前記加硫促進剤１の含有量（Ｂ）及び前記加硫促進剤２の含有量（Ｃ）」が「２．０≦（Ｂ＋Ｃ）／Ａ≦６０　　（２）」を満たすものであるのに対し、甲１発明においては、そうではない点。
　そこで、検討する。
　本件特許発明２においては、「前記ゴム成分１００質量部に対する前記硫黄加硫剤の含有量（Ａ）、前記加硫促進剤１の含有量（Ｂ）及び前記加硫促進剤２の含有量（Ｃ）」が「２．０≦（Ｂ＋Ｃ）／Ａ≦６０　　（２）」を満たすことによって、「耐摩耗性」、「耐熱劣化性」、「加工性」及び「低燃費性」という４つの特性をバランスよく改善するという効果を奏するものであるが、甲１発明は、そのようなものではないし、甲第２、４及び１０号証にも、「耐熱劣化性」を含む上記４つの特性をバランスよく改善するという効果について、記載も示唆もされていない。なお、甲第１０号証には、グアニジン系加硫促進剤、チウラム系加硫促進剤及びスルフェンアミド系加硫促進剤を使用することによって、耐熱老化性（「耐熱劣化性」に相当する。）を向上させることができることが記載されているが、グアニジン系加硫促進剤を使用せずに、耐熱老化性を向上させることができることは記載されていない。
　したがって、本件特許発明２は、甲１発明、すなわち甲第１号証に記載された発明とはいえないし、甲第１号証に記載された発明並びに甲第２、４及び１０号証に記載された事項に基づいて当業者が容易に発明をすることができたものともいえない。
（ウ）本件特許発明３について
　本件特許発明３と甲１発明を対比すると、両者は、少なくとも次の点で相違する。
＜相違点３＞
　本件特許発明３においては、「前記ゴム成分１００質量部に対する前記硫黄加硫剤の含有量（Ａ）、前記加硫促進剤１の含有量（Ｂ）及び前記加硫促進剤２の含有量（Ｃ）」が「（Ｂ＋Ｃ）／Ａ＝１．２７かつＣ／Ｂ＝１．７１であるトレッド用ゴム組成物を除く」ものであるのに対し、甲１発明においては、そうではない点。
　そこで、検討する。
　本件特許発明３においては、「前記ゴム成分１００質量部に対する前記硫黄加硫剤の含有量（Ａ）、前記加硫促進剤１の含有量（Ｂ）及び前記加硫促進剤２の含有量（Ｃ）」が「（Ｂ＋Ｃ）／Ａ＝１．２７かつＣ／Ｂ＝１．７１であるトレッド用ゴム組成物を除く」ことによって、「耐摩耗性」、「耐熱劣化性」、「加工性」及び「低燃費性」という４つの特性をバランスよく改善するという効果を奏するものであるが、甲１発明は、そのようなものではないし、甲第２、４及び１０号証にも、「耐熱劣化性」を含む上記４つの特性をバランスよく改善するという効果について、記載も示唆もされていない。
　したがって、本件特許発明３は、甲１発明、すなわち甲第１号証に記載された発明とはいえないし、甲第１号証に記載された発明並びに甲第２、４及び１０号証に記載された事項に基づいて当業者が容易に発明をすることができたものともいえない。
（エ）本件特許発明４について
　本件特許発明４と甲１発明を対比すると、両者は、少なくとも次の点で相違する。
＜相違点４＞
　本件特許発明４においては、「前記ゴム成分１００質量部に対する前記硫黄加硫剤の含有量（Ａ）、前記加硫促進剤１の含有量（Ｂ）及び前記加硫促進剤２の含有量（Ｃ）」が「２．０≦Ｃ／Ｂ　　（３）」を満たすものであるのに対し、甲１発明においては、そうではない点。
　そこで、検討する。
　本件特許発明４においては、「前記ゴム成分１００質量部に対する前記硫黄加硫剤の含有量（Ａ）、前記加硫促進剤１の含有量（Ｂ）及び前記加硫促進剤２の含有量（Ｃ）」が「２．０≦Ｃ／Ｂ　　（３）」を満たすことによって、「耐摩耗性」、「耐熱劣化性」、「加工性」及び「低燃費性」という４つの特性をバランスよく改善するという効果を奏するものであるが、甲１発明は、そのようなものではないし、甲第２、４及び１０号証にも、「耐熱劣化性」を含む上記４つの特性をバランスよく改善するという効果について、記載も示唆もされていない。
　したがって、本件特許発明４は、甲１発明、すなわち甲第１号証に記載された発明とはいえないし、甲第１号証に記載された発明並びに甲第２、４及び１０号証に記載された事項に基づいて当業者が容易に発明をすることができたものともいえない。
（オ）本件特許発明５について
　本件特許発明５と甲１発明を対比すると、両者は、少なくとも次の点で相違する。
＜相違点５＞
　本件特許発明５においては、「前記ゴム成分１００質量部に対する前記硫黄加硫剤の含有量（Ａ）、前記加硫促進剤１の含有量（Ｂ）及び前記加硫促進剤２の含有量（Ｃ）」が「１．５≦Ｃ≦５．０　　（４）」を満たすものであるのに対し、甲１発明においては、そうではない点。
　そこで、検討する。
　本件特許発明５においては、「前記ゴム成分１００質量部に対する前記硫黄加硫剤の含有量（Ａ）、前記加硫促進剤１の含有量（Ｂ）及び前記加硫促進剤２の含有量（Ｃ）」が「１．５≦Ｃ≦５．０　　（４）」を満たすことによって、「耐摩耗性」、「耐熱劣化性」、「加工性」及び「低燃費性」という４つの特性をバランスよく改善するという効果を奏するものであるが、甲１発明は、そのようなものではないし、甲第２、４及び１０号証にも、「耐熱劣化性」を含む上記４つの特性をバランスよく改善するという効果について、記載も示唆もされていない。
　したがって、本件特許発明５は、甲１発明、すなわち甲第１号証に記載された発明とはいえないし、甲第１号証に記載された発明並びに甲第２、４及び１０号証に記載された事項に基づいて当業者が容易に発明をすることができたものともいえない。
（カ）本件特許発明６について
　本件特許発明６と甲１発明を対比すると、両者は、少なくとも次の点で相違する。
＜相違点６＞
　本件特許発明６においては、「前記シランカップリング剤」が「硫黄含有率が２０質量％以上のシランカップリング剤」であるのに対し、甲１発明においては、そうではない点。
　そこで、検討する。
　本件特許発明６においては、「前記シランカップリング剤」が「硫黄含有率が２０質量％以上のシランカップリング剤」であることによって、「耐摩耗性」、「耐熱劣化性」、「加工性」及び「低燃費性」という４つの特性をバランスよく改善するという効果を奏するものであるが、甲１発明は、そのようなものではないし、甲第２、４及び１０号証にも、「耐熱劣化性」を含む上記４つの特性をバランスよく改善するという効果について、記載も示唆もされていない。
　したがって、本件特許発明６は、甲１発明、すなわち甲第１号証に記載された発明とはいえないし、甲第１号証に記載された発明並びに甲第２、４及び１０号証に記載された事項に基づいて当業者が容易に発明をすることができたものともいえない。
（キ）本件特許発明７について
　本件特許発明７と甲１発明を対比すると、両者は、少なくとも次の点で相違する。
＜相違点７＞
　本件特許発明７においては、「ゴム成分」が「前記ゴム成分１００質量％中、変性スチレンブタジエンゴムの含有量が３０〜９０質量％、ブタジエンゴムの含有量が５〜７０質量％」であるのに対し、甲１発明においては、そうではない点。
　そこで、検討する。
　本件特許発明７においては、「ゴム成分」が「前記ゴム成分１００質量％中、変性スチレンブタジエンゴムの含有量が３０〜９０質量％、ブタジエンゴムの含有量が５〜７０質量％」であることによって、「耐摩耗性」、「耐熱劣化性」、「加工性」及び「低燃費性」という４つの特性をバランスよく改善するという効果を奏するものであるが、甲１発明は、そのようなものではないし、甲第２、４及び１０号証にも、「耐熱劣化性」を含む上記４つの特性をバランスよく改善するという効果について、記載も示唆もされていない。
　したがって、本件特許発明７は、甲１発明、すなわち甲第１号証に記載された発明とはいえないし、甲第１号証に記載された発明並びに甲第２、４及び１０号証に記載された事項に基づいて当業者が容易に発明をすることができたものともいえない。
（ク）本件特許発明８について
　本件特許発明８と甲１発明を対比すると、両者は、少なくとも次の点で相違する。
＜相違点８＞
　本件特許発明８においては、「前記ゴム成分１００質量部に対する前記硫黄加硫剤の含有量（Ａ）、前記加硫促進剤１の含有量（Ｂ）及び前記加硫促進剤２の含有量（Ｃ）」が「１．０≦Ｃ／Ｂ　　（３）」を満たすものである（当審注：本件特許発明１ないし７と異なり、「加硫促進剤１」は「チアゾール系」である。）のに対し、甲１発明においては、そうではない点。
　そこで、検討する。
　本件特許発明８においては、「前記ゴム成分１００質量部に対する前記硫黄加硫剤の含有量（Ａ）、前記加硫促進剤１の含有量（Ｂ）及び前記加硫促進剤２の含有量（Ｃ）」が「１．０≦Ｃ／Ｂ　　（３）」を満たすことによって、「耐摩耗性」、「耐熱劣化性」、「加工性」及び「低燃費性」という４つの特性をバランスよく改善するという効果を奏するものであるが、甲１発明は、そのようなものではないし、甲第２、４及び１０号証にも、「耐熱劣化性」を含む上記４つの特性をバランスよく改善するという効果について、記載も示唆もされていない。
　したがって、本件特許発明８は、甲１発明、すなわち甲第１号証に記載された発明とはいえないし、甲第１号証に記載された発明並びに甲第２、４及び１０号証に記載された事項に基づいて当業者が容易に発明をすることができたものともいえない。
（ケ）本件特許発明９ないし１１について
　本件特許発明９ないし１１は、請求項８を引用するものであるから、本件特許発明８と同様に、甲第１号証に記載された発明とはいえないし、甲第１号証に記載された発明並びに甲第２、４及び１０号証に記載された事項に基づいて当業者が容易に発明をすることができたものともいえない。
ウ　取消理由３及び４（新規性及び進歩性）についてのむすび
　以上のとおり、本件特許発明１ないし１１は、特許法第２９条の規定に違反するものではないから、それらの特許は、同法第１１３条第２号に該当せず、取り消すことはできない。
５　平成２９年５月２日付けで通知した取消理由及び同年１１月２０日付けで通知した取消理由（決定の予告）において採用しなかった特許異議申立理由
　平成２９年５月２日付けで通知した取消理由及び同年１１月２０日付けで通知した取消理由（決定の予告）において採用しなかった特許異議申立理由はない。
　なお、甲第１、２、４及び１０号証以外の特許異議申立書に添付された証拠は、甲第１号証に記載された「シランカップリング剤Ｓｉ７５」に関する文献及び本件特許発明２等で特定された「グアニジン系加硫促進剤」に関する文献であるが、これらを検討しても、請求項１ないし１１に係る特許を取り消すことはできない。
第４　結語
　上記第３のとおり、平成２９年５月２日付けで通知した取消理由及び同年１１月２０日付けで通知した取消理由（決定の予告）によっては、請求項１ないし１１に係る特許を取り消すことはできない。
　また、他に請求項１ないし１１に係る特許を取り消すべき理由を発見しない。
　よって、結論のとおり決定する。
【異議決定日】
平成３０年２月１４日（２０１８．２．１４）
【訂正の要旨】
審決（決定）の【理由】欄参照。
（５７）【特許請求の範囲】
　【請求項１】
ゴム成分と、シリカと、シランカップリング剤と、硫黄加硫剤と、スルフェンアミド
系の
、酸化亜鉛と
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たすトレッド用ゴム組成物。
０．１≦Ａ≦３．０　　　　　　　（１）
１．０≦（Ｂ＋Ｃ）／Ａ≦６０　　（２）
１．０≦Ｃ／Ｂ　　　　　　　　　（３）
　【請求項２】
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たし、
０．１≦Ａ≦３．０　　　　　　　（１）
２．０≦（Ｂ＋Ｃ）／Ａ≦６０　　（２）
１．０≦Ｃ／Ｂ　　　　　　　　　（３）
前記ゴム組成分１００質量部に対して、グアニジン系加硫促進剤０．５〜４．０質量部含
むト
　【請求項３】
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たし、
０．１≦Ａ≦３．０　　　　　　　（１）
１．０≦（Ｂ＋Ｃ）／Ａ≦６０　　（２）
１．０≦Ｃ／Ｂ　　　　　　　　　（３）
前記ゴム成分１００質量部に対して、前記シリカを１０〜１５０質量部含み、
前記シリカ１００質量部に対して、前記シランカップリング剤を１〜２０質量部含
むト
（但し、（Ｂ＋Ｃ）／Ａ＝１．２７かつＣ／Ｂ＝１．７１であるトレッド用ゴム組成物を除く）
　【請求項４】
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たすトレッド用
０．１≦Ａ≦３．０　　　　　　　（１）
１．０≦（Ｂ＋Ｃ）／Ａ≦６０　　（２）
２．０≦Ｃ／Ｂ　　　　　　　　　（３）
　【請求項５】
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（４）を満たし、
０．１≦Ａ≦３．０　　　　　　　（１）
１．０≦（Ｂ＋Ｃ）／Ａ≦６０　　（２）
１．０≦Ｃ／Ｂ　　　　　　　　　（３）
１．５≦Ｃ≦５．０　　　　　　　（４）
前記ゴム組成分１００質量部に対して、グアニジン系加硫促進剤０．５〜４．０質量部含み、
前記ゴム成分１００質量部に対して、前記シリカを１０〜１５０質量部含み、
前記シリカ１００質量部に対して、前記シランカップリング剤を１〜２０質量部含むトレッド用ゴム組成物。
　【請求項６】
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が２０質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たし、
０．１≦Ａ≦３．０　　　　　　　（１）
１．０≦（Ｂ＋Ｃ）／Ａ≦６０　　（２）
１．０≦Ｃ／Ｂ　　　　　　　　　（３）
前記ゴム組成分１００質量部に対して、グアニジン系加硫促進剤０．５〜４．０質量部含むトレッド用ゴム組成物を用いて作製したトレッドを有する空気入りタイヤ。
　【請求項７】
ゴム成分と、シリカと、シランカップリング剤と、硫黄加硫剤と、スルフェンアミド系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たし、
０．１≦Ａ≦３．０　　　　　　　（１）
１．０≦（Ｂ＋Ｃ）／Ａ≦６０　　（２）
１．０≦Ｃ／Ｂ　　　　　　　　　（３）
前記ゴム組成分１００質量部に対して、グアニジン系加硫促進剤０．５〜４．０質量部含み、
前記ゴム成分１００質量部に対して、前記シリカを１０〜１５０質量部含み、
前記シリカ１００質量部に対して、前記シランカップリング剤を１〜２０質量部含み、
前記ゴム成分１００質量％中、変性スチレンブタジエンゴムの含有量が３０〜９０質量％、ブタジエンゴムの含有量が５〜７０質量％であるトレッド用ゴム組成物を用いて作製したトレッドを有する空気入りタイヤ。
　【請求項８】
ゴム成分と、シリカと、シランカップリング剤と、硫黄加硫剤と、チアゾール系の加硫促進剤１と、チウラム系の加硫促進剤２とを含むトレッド用ゴム組成物であって、
前記シリカ及び任意に含まれるカーボンブラックの合計１００質量％中の前記シリカの含有率は、８０質量％以上であり、
前記シランカップリング剤は、硫黄含有率が１５質量％以上のシランカップリング剤を含み、
前記ゴム成分１００質量部に対する前記硫黄加硫剤の含有量（Ａ）、前記加硫促進剤１の含有量（Ｂ）及び前記加硫促進剤２の含有量（Ｃ）が下記式（１）〜（３）を満たすトレッド用ゴム組成物。
０．１≦Ａ≦３．０　　　　　　　（１）
１．０≦（Ｂ＋Ｃ）／Ａ≦６０　　（２）
１．０≦Ｃ／Ｂ　　　　　　　　　（３）
　【請求項９】
前記ゴム組成分１００質量部に対して、グアニジン系加硫促進剤０．５〜４．０質量部含む請求項８記載のトレッド用ゴム組成物。
　【請求項１０】
前記ゴム成分１００質量部に対して、前記シリカを１０〜１５０質量部含み、
前記シリカ１００質量部に対して、前記シランカップリング剤を１〜２０質量部含む請求項８又は９記載のトレッド用ゴム組成物。
　【請求項１１】
請求項８〜１０のいずれかに記載のゴム組成物を用いて作製したトレッドを有する空気入りタイヤ。